(57)【要約】【課題】空間中の磁力の分布を設計したマスクであって、空気中の有害な粉塵を効果的に吸着するものを提供すること。合わせて、発明の実装の形態によって、血行促進による健康への効果が高く、気功の観点からも好まれるような空間中の磁力の分布を実現すること。【解決手段】略長方形状のマスク本体部とその両側の短辺部に設けられた耳かけ部とを備え、マスク本体部の周縁に磁性粉を含有し、中央に短辺に略平行なポケットを備える。ポケットに磁性板を保持する。磁性粉及び磁性板の磁力を調整する。【選択図】図１
2014150805.tif 000002
【特許請求の範囲】
【請求項１】
略長方形状のマスク本体部と前記マスク本体部の両側の短辺部に設けられた耳かけ部とを備え、
前記マスク本体部は、その周縁に磁性粉を含有し、その中央に前記短辺に１つ以上の略平行なポケットを備え、
前記ポケットのうち１つ以上に磁性板が保持されていることを特徴とする、マスク。
【請求項２】
２つの前記短辺の中央に１つの前記ポケットを備え、
そのポケットに前記磁性板が保持されており、
該磁性板の磁力は前記磁性粉の磁力の５倍以上であることを特徴とする、請求項１に記載のマスク。
【請求項３】
２つの前記短辺の中央の両側にそれぞれ１つの前記ポケットを備え、
その２つのポケットに前記磁性板が保持されており、
該２つの磁性板の磁力は前記磁性粉の磁力の５倍以上であることを特徴とする、請求項１に記載のマスク。
【請求項４】
前記２つのポケットに保持される磁性板の磁力が相違し、
一方の磁性板の磁力が他方の磁性板の磁力の２倍以上であることを特徴とする、請求項３に記載のマスク。
【請求項５】
前記ポケットに前記磁性板の出し入れを行う出入口が設けられ、
前記出入口が面ファスナによって開閉可能であることを特徴とする、請求項１〜４のいずれか１項に記載のマスク。
【請求項６】
前記磁性粉のうち、２つの前記短辺の中央部分に他の部分の磁力の５倍以上の磁力を持つ強磁力部を備えることを特徴とする、請求項１〜５のいずれか１項に記載のマスク。
【請求項７】
前記耳かけ部のうち、耳の上端に触れる部分に磁性粉を含有することを特徴とする、請求項１〜６のいずれか１項に記載のマスク。
【発明の詳細な説明】
【技術分野】
【０００１】
本発明は、マスクに関するものである。
【背景技術】
【０００２】
マスクに磁力を持たせ、磁力を通じて使用者の健康を増進させることが知られている。例えば、特許文献１には磁力により局部の血行を促進させることによりアレルギー症状を緩和するマスクが開示されている。また、特許文献２にはマスク本体部に磁石を介装させることが開示されている。
【０００３】
また、近年は東洋医学の気功が注目されているが、気功における「気」は微弱な磁力であるという説もある（例えば特許文献３参照）。しからば、その原理は解明されていないものの、磁力は、特にその効果を信じる者にとって、健康に好影響を与えると考えられる。
【０００４】
特許文献１及び２には開示されていないが、マスクの有する磁力が、空気中の有害な粉塵のうち磁性を有するもの（例えば金属製のもの）を吸着し、吸気中から減少させることは自明である。
吸気中から粉塵を減少させるために鼻及び口の周辺に磁力を持たせることは、気功の観点からも吸気を通じて気（磁力）を伝達することと考えられる。してみれば、粉塵の減少という直接的な効果と、気功の効果を信じる者への精神的な効果とが、同時に実現されることになる。
しかし、鼻及び口の周辺に強い磁力を持たせるようなマスクは開示されていなかった。
【０００５】
また、磁力によって血行を促進させることの健康への効果は、どの箇所の血行を強く促進させるかに依存する。例えば、いわゆるツボに磁力を与えることは効果が高い。しかし、特許文献１には、どの箇所の磁力を強くすべきかについての開示はされていない。
【０００６】
以上をまとめると、マスクに磁力を持たせるにあたり、どの箇所の磁力を強くするか（空間中の磁力の分布）を設計することが重要であるにもかかわらず、かかる設計のなされたマスクは知られていなかった。
【先行技術文献】
【特許文献】
【０００７】
【特許文献１】特開２００６−１３００２２号公報
【特許文献２】特開２０１２−２５４２７２号公報
【特許文献３】特開２００３−３０２３７７号公報
【発明の概要】
【発明が解決しようとする課題】
【０００８】
解決しようとする課題は、空間中の磁力の分布を設計したマスクであって、空気中の有害な粉塵を効果的に吸着するものを提供することである。
合わせて、発明の実装の形態によって、血行促進による健康への効果が高く、気功の観点からも好まれるような空間中の磁力の分布を実現することである。
【課題を解決するための手段】
【０００９】
本発明のマスクは、
略長方形状のマスク本体部と前記マスク本体部の両側の短辺に設けられた耳かけ部とを備え、
前記マスク本体部は、その周縁に磁性粉を含有し、その中央に前記短辺に１つ以上の略平行なポケットを備え、
前記ポケットのうち１つ以上に磁性板が保持されていることを特徴とする。
【００１０】
磁性粉と磁性板によって空間中の磁力の分布を実現する。
マスク本体部の周縁は、空気がマスク内部に流入するところである。この部分に磁力を持たせ、有害な粉塵を吸着させる。マスク本体部の周縁は、顔面に合わせて湾曲する部分であり、その形状は一定ではない。そこで、磁性体がマスク本体と共に湾曲して磁性体と顔面の間の空隙を狭くできるよう、磁性粉を用いる。
マスク本体部の中央は、鼻及び口を覆う。吸気は鼻と口から体内に流入する。鼻と口とはマスク本体部の短辺に平行な方向（使用時の上下方向）に並ぶので、マスク本体部の短辺に平行な方向に磁性板を保持するためのポケットを設ける。磁性板を用いて、強い磁力を持たせることができる。ポケットの位置は、鼻と口の中心を結ぶ線上でも、鼻と口の両側でも、これらの両方でも、更に追加してもよい。
【００１１】
本発明のマスクは、
２つの前記短辺の中央に１つの前記ポケットを備え、
そのポケットに前記磁性板が保持されており、
該磁性板の磁力は前記磁性粉の磁力の５倍以上であることを特徴とする。
【００１２】
マスク本体部の短辺の中央は、鼻と口の中心を結ぶ線上にある。ここに強い磁力を持たせることで、吸気中の有害な粉塵を効果的に除去する。気功の観点からも好まれるような空間中の磁力の分布となる。
ここで「磁力」は、磁性板全体又は磁性粉全体の磁力の和でなく、磁性板又は磁性粉に接する部分の磁力（磁束密度）を言う。例えば、磁性粉に接する部分の磁力が０．０２テスラである場合に、磁性板に接する部分の磁力が０．１テスラ以上であれば、「５倍以上」である。
【００１３】
本発明のマスクは、
２つの前記短辺の中央の両側にそれぞれ１つの前記ポケットを備え、
その２つのポケットに前記磁性板が保持されており、
該２つの磁性板の磁力は前記磁性粉の磁力の５倍以上であることを特徴とする。
【００１４】
マスク本体部の短辺の中央でなく、その両側に強い磁力を持たせることによっても、吸気中の有害な粉塵を効果的に除去することができる。なお、マスク本体部の短辺の中央とその両側の磁力とを併用してもよい。
マスク本体部の短辺の中央の両側におけるポケットの具体的な位置は、鼻腔の位置として吸気から直接に粉塵を吸着させることも、鼻腔よりもやや外側の鼻の突起を避ける位置としてマスクと顔面の空隙を小さくして効率的に粉塵を吸着させることもできる。
【００１５】
本発明のマスクは、
前記２つのポケットに保持される磁性板の磁力が相違し、
一方の磁性板の磁力が他方の磁性板の磁力の２倍以上であることを特徴とする。
【００１６】
磁性板の磁力は、左右で均等である必要はない。左右の一方の鼻腔に炎症がある場合、鼻中隔湾曲により左右の鼻腔の吸気量が相違する場合、その他の場合には、左右の一方の磁力を他方よりも強くすることも有効である。
【００１７】
本発明のマスクは、
前記ポケットに前記磁性板の出し入れを行う出入口が設けられ、
前記出入口が面ファスナによって開閉可能であることを特徴とする。
【００１８】
磁性板を保持させるポケットを使用者が選択すること、ポケットに入れる磁性板の磁力の強さを使用者が選択することを可能にする。
【００１９】
本発明のマスクは、
前記磁性粉のうち、２つの前記短辺の中央部分に他の部分の磁力の５倍以上の磁力を持つ強磁力部を備えることを特徴とする。
【００２０】
マスク本体部の短辺の中央部分は、鼻の上において、晴明のツボに近い位置となる。この部分に強い磁力を持たせることで、血行促進による健康への効果が大きなものとなる。
【００２１】
本発明のマスクは、
前記耳かけ部のうち、耳の上端に触れる部分に磁性粉を含有することを特徴とする。
【００２２】
耳かけ部が耳の上端に触れる部分は、耳門のツボに近い位置となる。この部分に磁力を持たせることでも。血行促進による健康への効果が大きなものとなる。
【発明の効果】
【００２３】
本発明のマスクは、空間中の磁力の分布を設計して、空気中の有害な粉塵を効果的に吸着する。合わせて、発明の実装の形態によって、血行促進による健康への効果が高く、気功の観点からも好まれるような空間中の磁力の分布を実現することができる。
【図面の簡単な説明】
【００２４】
【図１】図１は、マスクを示す図である。
【発明を実施するための形態】
【００２５】
以下、本発明の実施例を示す。
【実施例１】
【００２６】
図１は、マスクを示す図である。図は、マスクを裏側（顔面が接触する側）から見たものである。略長方形のマスク本体部１の短辺に、耳かけ部４が設けられている。
マスク本体部１の周縁には、磁性粉２が含有されている。磁性粉２は、０．０２テスラの磁力を発生する。ただし、短辺の中央部分の強磁力部２ａは、０．１５テスラの磁力を発生する。強磁力部２ａは、晴明のツボ周辺の血行をよくする。
マスク本体部１の中央には、５つのポケット３（３ａ、３ｂ及び３ｃ）が設けられている。ポケット３は、袋状であって内部に磁性板を挿入することができ、面ファスナ３ｆによって磁性板を保持する。
磁性板は、幅１０ｍｍ、長さ８０ｍｍであり、０．１５テスラの磁力を発生する。
耳かけ部４の耳の上端に接する部分４ａには、磁性粉が含有されている。この磁性粉は、０．１テスラの磁力を発生する。この磁性粉ａは、耳門のツボ周辺の血行をよくする。
なお、晴明及び耳門のツボ風辺の血行をよくするための磁性粉は、晴明及び耳門のツボ周辺に接する図の上側のみでなく、それと対称な図の下側の箇所にも設けられている。マスクを上下逆に着用したときにもツボ風辺の血行をよくする効果が得られる。
【００２７】
５つのポケット３のうち、１つの中央ポケット３ａは鼻と口の中心を結ぶ線上にあり、２つの内側ポケット３ｂは鼻腔の位置にあり、２つの外側ポケット３ｃは鼻腔よりもやや外側の鼻の突起を避ける位置にある。
実際の使用に当たっては、中央ポケット３ａに１枚の磁性板を挿入し他のポケットに挿入しないこと、内側ポケット３ｂに２枚の磁性板を挿入し他のポケットに挿入しないこと、外側ポケット３ｂに２枚の磁性板を挿入し他のポケットに挿入しないことが可能である。むろん、これ以外の方法も可能である。目的とマスクの感覚についての好みに基づいて磁性板を挿入するポケットを選択することができる。
【実施例２】
【００２８】
本実施例は、実施例１に比して、磁性板の発する磁力のみが異なるものである。他の部分は実施例１と同様であり、説明を省略する。
【００２９】
内側ポケット３ｂに２枚の磁性板を挿入し他のポケットに挿入しない。左側の内側ポケット３ｂには０．２５テスラの磁力を発生する磁性板を挿入し、左側の内側ポケット３ｂには０．１テスラの磁力を発生する磁性板を挿入する。左の鼻腔に炎症を発症している場合に有効である。
磁性板としては、いろいろな強度の磁力を発生するものを揃え、使用者の都合で選択するようにすればよい。
【産業上の利用可能性】
【００３０】
空間中の磁力の分布を設計したマスクであって、空気中の有害な粉塵を効果的に吸着するものであり、多くの個人による利用が期待される。また、気功の観点からも好まれるような空間中の磁力の分布を実現するものであり、気功を実施する者による利用が期待される。
【符号の説明】
【００３１】
１    マスク本体部
２    磁性粉
３    ポケット
４    耳かけ部
【図１】
2014150805.tif 000003